(57)【要約】
【課題】  特別に糸等の端を係止することを行わずともそのままで、巻き状態にある糸等の解れを防止でき、また、糸等の端も探し出し易く、手等による糸等の汚れ防止も兼ねることが出来る。
【解決手段】胴体部の中心軸線方向の両端にそれぞれ外向きフランジ１ａ，１ｂを設けた糸または紐巻き具において、胴体部に巻廻した糸２等の上に所要幅のある伸縮性バンド３を嵌め、伸縮性バンド３の内方から糸２または紐をひきだす。さらに、伸縮性バンド３はその端縁３ａを糸２等の引き出し側の前記外向きフランジ１ａに近接させ、これら伸縮性バンド３の端縁３ａと前記外向きフランジ１ａとの隙間から糸２等を引き出す。
【選択図】    図１
0003100742.tif 000002
【実用新案登録請求の範囲】
【請求項１】
胴体部の中心軸線方向の両端にそれぞれ外向きフランジを設けた糸または紐巻き具において、胴体部に巻廻した糸等の上に所要幅のある伸縮性バンドを嵌め、伸縮性バンド内方から糸または紐を引き出すことを特徴とした糸または紐巻き具。
【請求項２】
伸縮性バンドはその端縁を糸等の引き出し側の前記外向きフランジに近接させ、これら伸縮性バンドの端縁と前記外向きフランジとの隙間から糸等を引き出すことを特徴とする請求項１記載の糸または紐巻き具
【考案の詳細な説明】
【技術分野】
【０００１】
この考案は、糸または紐巻具、いわゆる糸巻き・紐巻きのボビンに関するものである。
【背景技術】
【０００２】
縫製用の糸や梱包用の縄は、胴体部の中心軸線方向の両端にそれぞれ外向きフランジを設けたボビンに巻取り収納されることが多い。フランジは糸等を巻く範囲を制限するためのものである。
【０００３】
そして、未使用時には、糸や縄などの解れ防止や、汚れ防止のためにボビンに巻き付けられた糸や縄の部分の外側を透明セロファンや紙で包装している。
【０００４】
ミシン糸等縫製用の糸巻きでは、使用中の巻いてある糸の解れ防止として、外向きフランジに切り込みを形成しておき、ここに使用後の糸の端を挟み込むことも行われている。このようにしておけば、再度使用する時に糸の端を探し出し易くすることもできる。下記特許文献もその１つである。
【特許文献１】実開平６−１１６８３号公報
【考案の開示】
【考案が解決しようとする課題】
【０００５】
前記透明セロファンや紙での包装は未使用時のものであり、使用時には剥がされ、使用後の糸の解れ防止には役に立たない。
【０００６】
また、使用後の糸の解れ防止として糸巻きに形成された切り込みへの糸の挟み込みへの係止も、切り込み部分が目立ち難く、かつ極小であると、見つけ出すのが困難であり、縫製する人たちが高齢化している昨今では容易とは言い難いものである。
【０００７】
この考案は前記従来例の不都合を解消し、特別に糸等の端を係止することを行わずともそのままで、巻き状態にある糸等の解れを防止でき、また、糸等の端も探し出し易く、手等による糸等の汚れ防止も兼ねることが出来る糸または紐巻き具を提供することにある。
【課題を解決するための手段】
【０００８】
この考案は前記目的を達成するため、第１に、胴体部の中心軸線方向の両端にそれぞれ外向きフランジを設けた糸または紐巻き具において、胴体部に巻廻した糸等の上に所要幅のある伸縮性バンドを嵌め、伸縮性バンド内方から糸または紐を引き出すことを要旨とするものである。
【０００９】
第２に、伸縮性バンドはその端縁を糸等の引き出し側の前記外向きフランジに近接させ、これら伸縮性バンドの端縁と前記外向きフランジとの隙間から糸等を引き出すことを要旨とするものである。
【００１０】
請求項１記載のこの発明によれば、胴体部に巻廻した糸等の上に嵌めた伸縮性バンドがその伸縮性を発揮して糸等を押さえ、巻かれた糸等が解れるのを防止できる。
【００１１】
また、糸等の引き出し方向によっては、伸縮性バンドの端縁を引き広げるような状態になることもあるが、伸縮性ゆえに抵抗が少なく広がり糸等に無理な負担を掛けることはない。
【００１２】
さらに、伸縮性バンドは所要幅のあるものとすることで、胴体部に巻廻した糸等の外側をこれで大きく覆うことができ、この伸縮性バンドで手等による汚れ防止を行うこともできる。
【００１３】
請求項２記載のこの考案によれば、伸縮性バンドの端縁を糸等の引き出し側の前記外向きフランジに近接させたことにより、これら伸縮性バンドの端縁と前記外向きフランジとの隙間からのみ糸等は引き出される。これにより、糸等は巻き回しの端になる位置が移動して伸縮性バンドから外れてもその位置から常に伸縮性バンドの下側を通り、これに押さえられながら引き出されることになる。
【考案の効果】
【００１４】
以上述べたようにこの考案の糸または紐巻き具は、特別に糸等の端を係止することを行わずともそのままで、巻き状態にある糸等の解れを防止でき、また、糸等の端も探し出し易く、手等による糸等の汚れ防止も兼ねることが出来るものである。
【考案を実施するための最良の形態】
【００１５】
以下、図面についてこの考案の実施の形態について詳細に説明する。図１〜３はこの考案の１実施形態を示す斜視図で、ミシン糸用の糸巻き具の場合である。
【００１６】
図中１はミシン糸用の糸巻きであり、周知のごとく、胴体部の中心軸線方向の両端にそれぞれ外向きフランジ１ａ，１ｂを設けている。
【００１７】
そして、このような糸巻き１の胴体部には糸２が巻かれている。
【００１８】
本考案は、胴体部に巻廻した糸２の上に所要幅のある伸縮性バンド３を嵌め、伸縮性バンド３の内方から糸２を引き出すようにした。
【００１９】
この伸縮性バンド３は輪状の無端帯として形成するが、板状ゴムによる伸縮板体や糸状ゴムを編み込んだ伸縮性布体により構成する。
【００２０】
伸縮性バンド３は帯体の端部を結合して輪状とするか、または、筒状のものを輪切りにするかで所要幅のものを得るが、その幅は糸巻き１の外向きフランジ１ａ，１ｂの相互間隔よりも多少小さ目とし、これを胴体部に巻廻した糸２の上嵌めた際に伸縮性バンド３で覆われない部分があるものとする。
【００２１】
このように胴体部に巻廻した糸２の一部が伸縮性バンド３の一部からはみ出ることで、糸２の存在や色判別等を容易に行うことができる。
【００２２】
また、伸縮性バンド３の伸縮性は、平常時の最小径が糸巻き１の胴体部の最小径よりも小さく、使用中の糸２の解れを防止するだけの押力保持が可能なものとする。
【００２３】
さらに、伸縮性バンド３はその外側面に図柄や模様、文字等の表示４を施してもよく、また、図４に示すように小さな針刺し５を取付けてもよい。本実施形態では針刺し５は小バンド６を前記伸縮性バンド３に直交するように掛け渡して取付けた。この小バンド６も伸縮性バンド３と同一の伸縮性のあるものとしてもよい。
【００２４】
使用当初では、糸巻き１の外向きフランジ１ａ，１ｂ間を完全に埋めるように糸２が巻かれており、図１に示すように、前記伸縮性バンド３はその一方の端縁３ａを糸２等の引き出し側の前記外向きフランジ１ａに近接させ、これら伸縮性バンド３の端縁３ａと前記外向きフランジ１ａとの隙間から糸２等を引き出す。
【００２５】
この状態では糸２の巻き回しの端は伸縮性バンド３の端縁３ａと外向きフランジ１ａとの隙間に近い位置にある。
【００２６】
糸２が繰り出され、図２に示すように、糸２の巻き回しの端が他の外向きフランジ１ｂ側に移動していっても、糸２は常に伸縮性バンド３の内方から外向きフランジ１ａに近い位置で引き出され、さらに、図３に示すように前記糸２の巻き回しの端が伸縮性バンド３の下方から出て外向きフランジ１ｂ側に近づいても同様に糸２は常に伸縮性バンド３の内方から外向きフランジ１ａに近い位置で引き出される。
【００２７】
このようにして、糸２はいつも伸縮性バンド３の端縁３ａと前記外向きフランジ１ａとの隙間から引き出されるものであり、当該隙間を小さなものとしておけば、非使用時における糸２の解れ防止を完璧に実現することができる。
【００２８】
なお、糸２の引き出し方向は図１〜３にあるように糸巻き１の胴体部の中心軸線方向に向かずにこれと直角に近い方向になることもあるが、その場合でも糸２は伸縮性バンド３の内方からほとんど抵抗なしに引き出すことができる。ただし、糸２は引き出される際に伸縮性バンド３の端縁３ａを押し広げることもあるが、端縁３ａ自体が伸縮するので問題はない。
【００２９】
また、糸２の引き出し方向は図１〜３とは逆向きになる場合には、それに伴い伸縮性バンド３自体がスライドすることもあり得る。
【００３０】
以上の実施形態はミシン糸用の糸巻き具の場合で、この糸巻き具の糸を手縫い用として使用する場合について説明したが、ミシンへの使用においても適用できる。
【００３１】
さらに、ミシン用のボビンではなく、図５に示すように、扁平な巻き具についても適用できる。また、糸のみならず紐等の巻き具についても応用可能なものである。
【図面の簡単な説明】
【００３２】
【図１】この考案の第１実施形態を示すもので、第１段階を示す斜視図である。
【図２】この考案の第１実施形態を示すもので、第２段階を示す斜視図である。
【図３】この考案の第１実施形態を示すもので、第３段階を示す斜視図である。
【図４】針刺しを取付けた状態の斜視図である。
【図５】この考案の第２実施形態を示す斜視図である。
【符号の説明】
【００３３】
１…糸巻き          １ａ，１ｂ…外向きフランジ
２…糸              ３…伸縮性バンド
３ａ，３ｂ…端縁    ４…表示
５…針刺し          ６…小バンド
【図１】
0003100742.tif 000003
【図２】
0003100742.tif 000004
【図３】
0003100742.tif 000005
【図４】
0003100742.tif 000006
【図５】
0003100742.tif 000007